(57)【要約】【課題】送信側のコンピュータシステムから送信された情報の処理状況を、送信側コンピュータで容易に確認することができる、情報配信システムを提供する。【解決手段】配信装置が、受信装置へ配信した前記情報を、その情報の受信を保証する配信装置側受信保証情報として配信確認サーバへ送信する。そして受信装置への情報の配信に応じて、当該情報の受信の保証を示す受信装置側受信保証情報を受信装置より受信し、配信確認サーバへ送信する。また受信装置への情報の配信に応じて、当該情報の処理完了の保証を示す処理完了保証情報を配信確認サーバへ送信する。【選択図】図１
2007287073.tif 000002
【特許請求の範囲】
【請求項１】
送信装置から送信された情報を配信装置が一旦受信し受信装置へ配信する情報配信シス
テムであって、
前記配信装置が、
前記受信装置へ配信した前記情報を、その情報の受信を保証する配信装置側受信保証情
報として配信確認サーバへ送信する配信装置側受信保証手段と、
前記受信装置への前記情報の配信に応じて、当該情報の受信の保証を示す受信装置側受
信保証情報を前記受信装置より受信し、その受信装置側受信保証情報を前記配信確認サー
バへ送信する受信装置側受信保証手段と、
前記受信装置への前記情報の配信に応じて、当該情報の処理完了の保証を示す処理完了
保証情報を前記受信装置より受信し、その処理完了保証情報を前記配信確認サーバへ送信
する処理完了保証手段と、を備え、
前記受信装置が、
前記配信装置から配信された前記情報の受信に基づいて前記受信装置側受信保証情報を
前記配信装置へ返信する受信装置側受信保証情報返信手段と、
前記配信装置から配信された前記情報の自装置における処理完了に基づいて前記処理完
了保証情報を前記配信装置へ返信する処理完了保証情報返信手段と、
を備えることを特徴とする情報配信システム。
【請求項２】
前記配信確認サーバは、
前記配信装置より受信した前記配信装置側受信保証情報と、前記受信装置側受信保証情
報と、前記処理完了保証情報と、を記憶する情報記憶手段と、
前記情報記憶手段の記憶する各情報の一覧を、閲覧要求の受信に応じて当該閲覧要求の
要求元装置へ配信する記憶情報一覧配信手段と、
を備えることを特徴とする請求項１に記載の情報配信システム。
【請求項３】
送信装置から送信された情報を配信装置が一旦受信し受信装置へ配信する情報配信シス
テムにおける情報配信方法であって、
前記配信装置の配信装置側受信保証手段が、前記受信装置へ配信した前記情報を、その
情報の受信を保証する配信装置側受信保証情報として配信確認サーバへ送信し、
前記配信装置の受信装置側受信保証手段が、前記受信装置への前記情報の配信に応じて
、当該情報の受信の保証を示す受信装置側受信保証情報を前記受信装置より受信し、その
受信装置側受信保証情報を前記配信確認サーバへ送信し、
前記配信装置の処理完了保証手段が、前記受信装置への前記情報の配信に応じて、当該
情報の処理完了の保証を示す処理完了保証情報を前記受信装置より受信し、その処理完了
保証情報を前記配信確認サーバへ送信し、
前記受信装置の受信装置側受信保証情報返信手段が、前記配信装置から配信された前記
情報の受信に基づいて前記受信装置側受信保証情報を前記配信装置へ返信し、
前記受信装置の処理完了保証情報返信手段が、前記配信装置から配信された前記情報の
自装置における処理完了に基づいて前記処理完了保証情報を前記配信装置へ返信する
ことを特徴とする情報配信方法。
【請求項４】
前記配信確認サーバの情報記憶手段が、前記配信装置より受信した前記配信装置側受信
保証情報と、前記受信装置側受信保証情報と、前記処理完了保証情報と、を記憶し、
前記配信確認サーバの記憶情報一覧配信手段が、前記情報記憶手段の記憶する各情報の
一覧を、閲覧要求の受信に応じて当該閲覧要求の要求元装置へ配信する
ことを特徴とする請求項３に記載の情報配信方法。
【請求項５】
送信装置から送信された情報を一旦受信し受信装置へ配信する配信装置であって、
前記受信装置へ配信した前記情報を、その情報の受信を保証する配信装置側受信保証情
報として配信確認サーバへ送信する配信装置側受信保証手段と、
前記受信装置への前記情報の配信に応じて、当該情報の受信の保証を示す受信装置側受
信保証情報を前記受信装置より受信し、その受信装置側受信保証情報を前記配信確認サー
バへ送信する受信装置側受信保証手段と、
前記受信装置への前記情報の配信に応じて、当該情報の処理完了の保証を示す処理完了
保証情報を前記受信装置より受信し、その処理完了保証情報を前記配信確認サーバへ送信
する処理完了保証手段と、
を備えることを特徴とする配信装置。
【請求項６】
送信装置から送信された情報を一旦受信し受信装置へ配信する配信装置における処理方
法であって、
前記配信装置の配信装置側受信保証手段が、前記受信装置へ配信した前記情報を、その
情報の受信を保証する配信装置側受信保証情報として配信確認サーバへ送信し、
前記配信装置の受信装置側受信保証手段が、前記受信装置への前記情報の配信に応じて
、当該情報の受信の保証を示す受信装置側受信保証情報を前記受信装置より受信し、その
受信装置側受信保証情報を前記配信確認サーバへ送信し、
前記配信装置の処理完了保証手段が、前記受信装置への前記情報の配信に応じて、当該
情報の処理完了の保証を示す処理完了保証情報を前記受信装置より受信し、その処理完了
保証情報を前記配信確認サーバへ送信する
ことを特徴とする処理方法。
【請求項７】
送信装置から送信された情報を一旦受信し受信装置へ配信する配信装置のコンピュータ
に実行させるプログラムであって、
前記受信装置へ配信した前記情報を、その情報の受信を保証する配信装置側受信保証情
報として配信確認サーバへ送信する配信装置側受信保証処理と、
前記受信装置への前記情報の配信に応じて、当該情報の受信の保証を示す受信装置側受
信保証情報を前記受信装置より受信し、その受信装置側受信保証情報を前記配信確認サー
バへ送信する受信装置側受信保証処理と、
前記受信装置への前記情報の配信に応じて、当該情報の処理完了の保証を示す処理完了
保証情報を前記受信装置より受信し、その処理完了保証情報を前記配信確認サーバへ送信
する処理完了保証処理と、
をコンピュータに実行させるプログラム。
【請求項８】
送信装置から送信された情報を一旦受信し受信装置へ配信する配信装置のコンピュータ
に実行させるプログラムを記憶する記録媒体であって、
前記受信装置へ配信した前記情報を、その情報の受信を保証する配信装置側受信保証情
報として配信確認サーバへ送信する配信装置側受信保証処理と、
前記受信装置への前記情報の配信に応じて、当該情報の受信の保証を示す受信装置側受
信保証情報を前記受信装置より受信し、その受信装置側受信保証情報を前記配信確認サー
バへ送信する受信装置側受信保証処理と、
前記受信装置への前記情報の配信に応じて、当該情報の処理完了の保証を示す処理完了
保証情報を前記受信装置より受信し、その処理完了保証情報を前記配信確認サーバへ送信
する処理完了保証処理と、
をコンピュータに実行させるプログラムを記憶する記録媒体。
【発明の詳細な説明】
【技術分野】
【０００１】
本発明は、通信ネットワークに接続された複数の端末間において送信側の端末から受信
側の端末へ送信された情報を、前記通信ネットワークに接続された配信装置が一旦受信し
て、送信側の端末へ配信する、情報配信システムおよびその配信方法、配信装置およびそ
の処理方法ならびにプログラムと記録媒体に関する。
【背景技術】
【０００２】
メッセージ指向ミドルウェアと呼ばれる技術を利用したサーバを介して、送信側のコン
ピュータシステムから受信側のコンピュータシステムに対して情報を配信する技術が従来
より利用されている。このようなメッセージ指向ミドルウェアの技術を利用したサーバに
よる情報の配信では、送信側コンピュータシステムから送信される情報の中に当該情報の
種別を識別するための識別子が格納されており、またサーバでは当該識別子に対応付けて
配信先のコンピュータシステムの情報を予めデータベース等に記憶している。そしてサー
バは送信側コンピュータシステムから受信した情報に格納されている識別子を読み込んだ
後、当該識別子に対応付けて記憶している配信先のコンピュータシステムの情報をデータ
ベースから取得して、当該配信先のコンピュータシステム（つまり受信側のコンピュータ
システム）へ情報を配信している。ここで、上述のようなメッセージ指向ミドルウェアの
技術を利用したサーバを介して送信側から受信側へ情報を配信するシステムにおいては、
その送信したシステムがサーバを介して問題なく受信側のコンピュータシステムに受信さ
れ、さらにその情報を用いた受信側コンピュータシステムにおける処理が正常に完了した
かどうかを送信側のコンピュータシステムにおいて確認する必要があった。なお、送信側
から受信側へ情報（メッセージ）を配信するにあたり、その通信の信頼性を保つための技
術が特許文献１に公開されている。
【特許文献１】特開２００５−５６２６０号公報
【発明の開示】
【発明が解決しようとする課題】
【０００３】
上述したように、メッセージ指向ミドルウェアの技術を利用したサーバを介して、送信
側コンピュータシステムから受信側コンピュータシステムへ情報を配信する場合、送信側
コンピュータシステムにおいては、送信した情報がサーバによって問題なく受信されたか
どうか、および、送信した情報が受信側のコンピュータシステムにおいて問題なく受信さ
れ、かつその情報を用いた処理が正常に完了したかどうかの状況を確認する必要がある。
【０００４】
そこでこの発明は、送信側のコンピュータシステムから送信された情報の処理状況を、
送信側コンピュータで容易に確認することができる、情報配信システムおよびその配信方
法、配信装置およびその処理方法ならびにプログラムと記録媒体を提供することを目的と
している。
【課題を解決するための手段】
【０００５】
上記目的を達成するために、本発明は、送信装置から送信された情報を配信装置が一旦
受信し受信装置へ配信する情報配信システムであって、前記配信装置が、前記受信装置へ
配信した前記情報を、その情報の受信を保証する配信装置側受信保証情報として配信確認
サーバへ送信する配信装置側受信保証手段と、前記受信装置への前記情報の配信に応じて
、当該情報の受信の保証を示す受信装置側受信保証情報を前記受信装置より受信し、その
受信装置側受信保証情報を前記配信確認サーバへ送信する受信装置側受信保証手段と、前
記受信装置への前記情報の配信に応じて、当該情報の処理完了の保証を示す処理完了保証
情報を前記受信装置より受信し、その処理完了保証情報を前記配信確認サーバへ送信する
処理完了保証手段と、を備え、前記受信装置が、前記配信装置から配信された前記情報の
受信に基づいて前記受信装置側受信保証情報を前記配信装置へ返信する受信装置側受信保
証情報返信手段と、前記配信装置から配信された前記情報の自装置における処理完了に基
づいて前記処理完了保証情報を前記配信装置へ返信する処理完了保証情報返信手段と、を
備えることを特徴とする情報配信システムである。
【０００６】
また本発明は、上述の情報配信システムにおいて、前記配信確認サーバは、前記配信装
置より受信した前記配信装置側受信保証情報と、前記受信装置側受信保証情報と、前記処
理完了保証情報と、を記憶する情報記憶手段と、前記情報記憶手段の記憶する各情報の一
覧を、閲覧要求の受信に応じて当該閲覧要求の要求元装置へ配信する記憶情報一覧配信手
段と、を備えることを特徴とする。
【０００７】
また本発明は、送信装置から送信された情報を配信装置が一旦受信し受信装置へ配信す
る情報配信システムにおける情報配信方法であって、前記配信装置の配信装置側受信保証
手段が、前記受信装置へ配信した前記情報を、その情報の受信を保証する配信装置側受信
保証情報として配信確認サーバへ送信し、前記配信装置の受信装置側受信保証手段が、前
記受信装置への前記情報の配信に応じて、当該情報の受信の保証を示す受信装置側受信保
証情報を前記受信装置より受信し、その受信装置側受信保証情報を前記配信確認サーバへ
送信し、前記配信装置の処理完了保証手段が、前記受信装置への前記情報の配信に応じて
、当該情報の処理完了の保証を示す処理完了保証情報を前記受信装置より受信し、その処
理完了保証情報を前記配信確認サーバへ送信し、前記受信装置の受信装置側受信保証情報
返信手段が、前記配信装置から配信された前記情報の受信に基づいて前記受信装置側受信
保証情報を前記配信装置へ返信し、前記受信装置の処理完了保証情報返信手段が、前記配
信装置から配信された前記情報の自装置における処理完了に基づいて前記処理完了保証情
報を前記配信装置へ返信することを特徴とする情報配信方法である。
【０００８】
また本発明は、上述の情報配信方法において、前記配信確認サーバの情報記憶手段が、
前記配信装置より受信した前記配信装置側受信保証情報と、前記受信装置側受信保証情報
と、前記処理完了保証情報と、を記憶し、前記配信確認サーバの記憶情報一覧配信手段が
、前記情報記憶手段の記憶する各情報の一覧を、閲覧要求の受信に応じて当該閲覧要求の
要求元装置へ配信することを特徴とする。
【０００９】
また本発明は、送信装置から送信された情報を一旦受信し受信装置へ配信する配信装置
であって、前記受信装置へ配信した前記情報を、その情報の受信を保証する配信装置側受
信保証情報として配信確認サーバへ送信する配信装置側受信保証手段と、前記受信装置へ
の前記情報の配信に応じて、当該情報の受信の保証を示す受信装置側受信保証情報を前記
受信装置より受信し、その受信装置側受信保証情報を前記配信確認サーバへ送信する受信
装置側受信保証手段と、前記受信装置への前記情報の配信に応じて、当該情報の処理完了
の保証を示す処理完了保証情報を前記受信装置より受信し、その処理完了保証情報を前記
配信確認サーバへ送信する処理完了保証手段と、を備えることを特徴とする配信装置であ
る。
【００１０】
また本発明は、送信装置から送信された情報を一旦受信し受信装置へ配信する配信装置
における処理方法であって、前記配信装置の配信装置側受信保証手段が、前記受信装置へ
配信した前記情報を、その情報の受信を保証する配信装置側受信保証情報として配信確認
サーバへ送信し、前記配信装置の受信装置側受信保証手段が、前記受信装置への前記情報
の配信に応じて、当該情報の受信の保証を示す受信装置側受信保証情報を前記受信装置よ
り受信し、その受信装置側受信保証情報を前記配信確認サーバへ送信し、前記配信装置の
処理完了保証手段が、前記受信装置への前記情報の配信に応じて、当該情報の処理完了の
保証を示す処理完了保証情報を前記受信装置より受信し、その処理完了保証情報を前記配
信確認サーバへ送信することを特徴とする処理方法である。
【００１１】
また本発明は、  送信装置から送信された情報を一旦受信し受信装置へ配信する配信装
置のコンピュータに実行させるプログラムであって、前記受信装置へ配信した前記情報を
、その情報の受信を保証する配信装置側受信保証情報として配信確認サーバへ送信する配
信装置側受信保証処理と、前記受信装置への前記情報の配信に応じて、当該情報の受信の
保証を示す受信装置側受信保証情報を前記受信装置より受信し、その受信装置側受信保証
情報を前記配信確認サーバへ送信する受信装置側受信保証処理と、前記受信装置への前記
情報の配信に応じて、当該情報の処理完了の保証を示す処理完了保証情報を前記受信装置
より受信し、その処理完了保証情報を前記配信確認サーバへ送信する処理完了保証処理と
、をコンピュータに実行させるプログラムである。
【００１２】
また本発明は、送信装置から送信された情報を一旦受信し受信装置へ配信する配信装置
のコンピュータに実行させるプログラムを記憶する記録媒体であって、前記受信装置へ配
信した前記情報を、その情報の受信を保証する配信装置側受信保証情報として配信確認サ
ーバへ送信する配信装置側受信保証処理と、前記受信装置への前記情報の配信に応じて、
当該情報の受信の保証を示す受信装置側受信保証情報を前記受信装置より受信し、その受
信装置側受信保証情報を前記配信確認サーバへ送信する受信装置側受信保証処理と、前記
受信装置への前記情報の配信に応じて、当該情報の処理完了の保証を示す処理完了保証情
報を前記受信装置より受信し、その処理完了保証情報を前記配信確認サーバへ送信する処
理完了保証処理と、をコンピュータに実行させるプログラムを記憶する記録媒体である。
【発明を実施するための最良の形態】
【００１３】
以下、本発明の一実施形態による情報配信システムを図面を参照して説明する。図１は
同実施形態による情報配信システムの構成を示すブロック図である。この図で示すように
情報配信システムは、配信サーバ１（配信装置）、配信確認サーバ２、送信端末３（送信
装置）、受信端末４（受信装置）を備えている。そして配信サーバ１、配信確認サーバ２
、送信端末３、受信端末４は、それぞれ通信ネットワークを介して接続されている。ここ
で、送信端末３は情報を送信するコンピュータシステムである。また配信サーバ１は送信
端末３から送信された情報を一旦受信して、当該情報に格納されている識別子に基づいて
、配信先の端末（受信端末４）を検出し、当該配信先の受信端末４宛てに送信端末３から
送信された情報を配信する処理を行う。
【００１４】
ここで、配信サーバ１は送信端末３から送信された情報の受信を保証する情報（以下サ
ーバ側受信保証情報とする）を配信確認サーバ２へ送信する。また受信端末４は配信サー
バ１から配信された情報の受信を保証する情報（以下、端末側受信保証情報とする）と、
その情報を自端末において処理完了したことを保証する情報（以下、処理完了保証情報と
する）とを配信サーバ１へ送信し、配信サーバ１がそれらの情報を配信確認サーバ２へ送
信する。そして配信確認サーバ２は配信サーバ１から配信された情報をデータベースに記
憶する。また配信確認サーバ２は、要求元の端末（特に送信端末３）より情報の開示要求
があった場合には、データベースに記憶している情報を、当該要求元の端末へ送信する。
以上の処理により、送信端末３において、当該送信端末３が送信した情報の配信サーバ１
による正常な受信、受信端末４における正常な受信と処理の完了を確認することができる
。この処理の詳細について以下に説明する。
【００１５】
図２は配信サーバ１、配信確認サーバ２、受信端末４の機能構成を示す図である。
【００１６】
この図で示すように配信サーバ１は、通信ネットワークに接続されている他の装置と情
報を送受信する通信処理部１１、配信サーバ１の各処理部を制御する制御部、送信端末３
から送信された情報の受信を検出した後にサーバ側受信保証情報を配信確認サーバ２へ送
信するサーバ処理保証部１３、受信端末４から送信された端末側受信保証情報と処理完了
保証情報とを配信確認サーバ２へ送信する受信端末処理保証部１４、送信端末３から受信
した情報を配信先へ配信する配信処理部１５を備えている。
【００１７】
また配信確認サーバ２は、通信ネットワークに接続されている他の装置と情報を送受信
する通信処理部２１、配信確認サーバ２の各処理部を制御する制御部２２、配信サーバ１
から送信されたサーバ側受信保証情報、端末側受信保証情報、処理完了保証情報をデータ
ベース２５へ記録する受信情報記録部２３、開示要求の受信に基づいてデータベース２５
に記憶している情報を要求元の端末へ送信する記憶情報提供部２４、サーバ側受信保証情
報、端末側受信保証情報、処理完了保証情報を記憶するデータベース２５を備えている。
【００１８】
また受信端末４は、通信ネットワークに接続されている他の装置と情報を送受信する通
信処理部４１、受信端末４の各処理部を制御する制御部４２、端末側受信保証情報の配信
サーバ１への送信処理を行う受信保証情報送信部４３、処理完了保証情報の配信サーバ１
への送信処理を行う処理完了保証情報送信部４４を備えている。
【００１９】
図３は情報配信システムの処理シーケンス図である。
【００２０】
次に、図３を用いて情報配信システムにおける処理の詳細について説明する。
【００２１】
まず、送信端末３がユーザの操作に基づいて、情報を送信する（ステップＳ１）。この
情報には、情報の種別を示す種別ＩＤ、情報のトピック名、送信時刻、送信端末３のＩＤ
、情報の送信を指示したユーザのユーザ名などが格納されている。そして配信サーバ１の
通信処理部１１が送信端末３から送信された情報を受信する（ステップＳ２）。次に配信
サーバ１では送信端末３から送信された情報を受信すると、サーバ処理保証部１３がその
情報をそのまま配信確認サーバ２へ送信する（ステップＳ３）。つまり、配信サーバ１の
サーバ処理保証部１３は、送信端末３から送信された情報を、自サーバにおいて当該情報
を受信したことを保証する旨の情報（上述したサーバ側受信保証情報に相当）として、配
信確認サーバ２に送信している。そして配信確認サーバ２の受信情報記録部２３は、受信
した情報に格納されている、種別ＩＤ、情報のトピック名、送信時刻、送信端末３のＩＤ
、情報の送信を指示したユーザのユーザ名などを対応付けてデータベース２５のサーバ側
受信保証情報テーブルへ記録する（ステップＳ４）。
【００２２】
配信サーバ１においては、ステップＳ３の後、配信処理部１５が、受信端末４から受信
した情報より種別ＩＤを読み取る。そして配信処理部１５は、その種別ＩＤに対応付けて
記憶部などに記憶している配信先の端末（受信端末４）の端末名やＩＰアドレスなどを読
み取り、これにより配信先の受信端末４を検出する（ステップＳ５）。そして、配信サー
バ１の配信処理部１５は、送信端末３から受信した情報を配信先の端末（つまり受信端末
４）へ送信する（ステップＳ６）。このとき配信先が複数の端末である場合も考えられる
。
【００２３】
次に、受信端末４の通信処理部４１が配信サーバ１より配信された情報を受信する（ス
テップＳ７）。すると、受信端末４の受信保証情報送信部４３はａｃｋメッセージを配信
サーバ１へ送信する（ステップＳ８）。このａｃｋメッセージは上述した端末側受信保証
情報に相当する情報である。配信サーバ１の受信端末処理保証部１４はａｃｋメッセージ
を受信すると、当該ａｃｋメッセージを配信確認サーバ２へ送信する（ステップＳ９）。
そして配信確認サーバ２の受信情報記録部２３がａｃｋメッセージをデータベース２５の
ａｃｋメッセージ記録テーブルに記録する（ステップＳ１０）。なおａｃｋメッセージに
は、ａｃｋメッセージを示す種別ＩＤ、ａｃｋメッセージのトピック名、送信時刻、当該
ａｃｋメッセージを送信した受信端末４のＩＤ、当該受信端末４を利用するユーザのユー
ザ名を格納しており、これらの情報もａｃｋメッセージ記録テーブルに記録される。
【００２４】
また受信端末４においてはステップＳ７において受信した情報を用いて所定の処理を行
う（ステップＳ１１）。そして、その処理が完了を判定すると（ステップＳ１２）、例え
ば当該処理を行ったプログラムの処理完了通知に基づいて、処理完了保証情報送信部４４
が、ｃｏｍｐｌｅｔｅメッセージを配信サーバ１へ送信する（ステップＳ１３）。このｃ
ｏｍｐｌｅｔｅメッセージは上述した処理完了保証情報に相当する情報である。配信サー
バ１の受信端末処理保証部１４はｃｏｍｐｌｅｔｅメッセージを受信すると、当該ｃｏｍ
ｐｌｅｔｅメッセージを配信確認サーバ２へ送信する（ステップＳ１４）。そして配信確
認サーバ２の受信情報記録部２３がｃｏｍｐｌｅｔｅメッセージをデータベース２５のｃ
ｏｍｐｌｅｔｅメッセージ記録テーブルに記録する（ステップＳ１５）。なおｃｏｍｐｌ
ｅｔｅメッセージには、ｃｏｍｐｌｅｔｅメッセージを示す種別ＩＤ、ｃｏｍｐｌｅｔｅ
メッセージのトピック名、送信時刻、当該ｃｏｍｐｌｅｔｅメッセージを送信した受信端
末４のＩＤ、当該受信端末４を利用するユーザのユーザ名を格納しており、これらの情報
もｃｏｍｐｌｅｔｅメッセージ記録テーブルに記録される。以上の処理により、配信サー
バ１において送信端末３の送信した情報の受信を保証する情報、送信端末３から送信され
配信サーバ１を介して配信された情報が受信端末４で受信されたことを保証する情報、そ
の情報が受信端末４で正常に処理されたことを保証する情報が配信確認サーバ２へ記録さ
れる。
【００２５】
そして、送信端末３のユーザの操作により、送信端末３から閲覧要求が配信確認サーバ
２に送信されると（ステップＳ１６）、配信確認サーバ２の記憶情報提供部２４は、サー
バ側受信保証情報テーブルや、ａｃｋメッセージ記録テーブルや、ｃｏｍｐｌｅｔｅメッ
セージ記録テーブルに記録されている情報をの一覧を表示するウェブページデータを送信
端末３へ送信する（ステップＳ１７）。そして、送信端末３は、そのウェブページデータ
に基づいて、サーバ側受信保証情報テーブルや、ａｃｋメッセージ記録テーブルや、ｃｏ
ｍｐｌｅｔｅメッセージ記録テーブルに記録されている情報をの一覧を画面に表示する処
理を行う（ステップＳ１８）。
【００２６】
以上の処理により、送信端末３から送信した情報が問題なく配信サーバ１において受信
されたかどうか、送信端末３から送信した情報が問題なく受信端末４で受信され、さらに
その情報を用いた処理が完了したかどうかを、送信端末３側で確認することができる。こ
れにより、メッセージ指向ミドルウェアと呼ばれる技術を利用したサーバを介して、送信
側のコンピュータシステムから受信側のコンピュータシステムに対して情報を配信する技
術において、障害発生時の状況の確認を容易に行うことができる。
【００２７】
なお、情報配信システムにおいて、送信端末３から送信される情報のデータ量が大きい
場合には、配信サーバ１が情報を分割して、配信先の受信端末４に配信するようにしても
よい。その場合、配信サーバ１は分割した各情報に、メッセージＩＤや分割数や分割番号
などをさらに格納して配信する。そして受信端末４においては、分割された情報を順次受
信していき、メッセージＩＤと分割数と分割番号に基づいて、分割された情報を全て受信
できたかどうかを判定すると共に、全て受信した場合には、分割された各情報から元の情
報を復元処理する。そして、分割された情報が全て受信できない場合には、受信端末４は
、配信サーバ１に分割後の情報の再送信を要求する。このとき、既に受信した情報と同じ
メッセージＩＤの分割後の各情報が再度送られてきた場合には、受信端末４はそれまで受
信した分割後の各情報を全て破棄して、最初から分割後の各情報の受信と、その復元の処
理を行う。このようにすることで、大容量のデータの送受信における通信ネットワークの
リソース消費を抑制することができる。なお、分割の処理を配信サーバ１で行い、分割後
の情報の受信と復元の処理を受信端末４で処理する場合について記載したが、分割の処理
を送信装置３で行い、分割後の情報の受信と復元の処理を配信サーバ１で行うようにして
も良い。
【００２８】
上述の各サーバや端末は内部に、コンピュータシステムを有している。そして、上述し
た処理の過程は、プログラムの形式でコンピュータ読み取り可能な記録媒体に記憶されて
おり、このプログラムをコンピュータが読み出して実行することによって、上記処理が行
われる。ここでコンピュータ読み取り可能な記録媒体とは、磁気ディスク、光磁気ディス
ク、ＣＤ−ＲＯＭ、ＤＶＤ−ＲＯＭ、半導体メモリ等をいう。また、このコンピュータプ
ログラムを通信回線によってコンピュータに配信し、この配信を受けたコンピュータが当
該プログラムを実行するようにしても良い。
【００２９】
また、上記プログラムは、前述した機能の一部を実現するためのものであっても良い。
さらに、前述した機能をコンピュータシステムにすでに記録されているプログラムとの組
み合わせで実現できるもの、いわゆる差分ファイル（差分プログラム）であっても良い。
【図面の簡単な説明】
【００３０】
【図１】情報配信システムの構成を示すブロック図である。
【図２】配信サーバ、配信確認サーバ、受信端末の機能構成を示す図である。
【図３】情報配信システムの処理シーケンス図である。
【符号の説明】
【００３１】
１・・・配信サーバ、２・・・配信確認サーバ、３・・・送信端末、４・・・受信端末
【図１】
2007287073.tif 000003
【図２】
2007287073.tif 000004
【図３】
2007287073.tif 000005